(57)【要約】      （修正有）【課題】使用者の体にフィットし、利便性、携帯性に優れた新規な電気式湯たんぽについて提供する。【解決手段】様々なシーンにおいて利用可能な電気式湯たんぽ１であって、使用者の体にフィットさせることが可能な可撓性を有する容器１０と、容器１０に液体９を充填するための液体充填口７と、容器１０の外部に設けられ、外部電源と接続／離脱可能に設けられるコネクタ１２と、容器１０の内部に設けられ、コネクタ１２からの給電により液体９を加温する熱源部と、を有する、電気式湯たんぽ１とする。【選択図】図１
0003180431.tif 000002
【実用新案登録請求の範囲】
【請求項１】
様々なシーンにおいて利用可能な電気式湯たんぽであって、
使用者の体にフィットさせることが可能な可撓性を有する容器と、
前記容器に液体を充填するための液体充填口と、
前記容器の外部に設けられ、外部電源と接続／離脱可能に設けられるコネクタと、
前記容器の内部に設けられ、前記コネクタからの給電により前記液体を加温する熱源部と、
を有する、電気式湯たんぽ。
【請求項２】
前記容器の表面は、ベロア調である、
ことを特徴とする、請求項１に記載の電気式湯たんぽ。
【請求項３】
前記容器に、腰巻用のベルトが設けられる、
ことを特徴とする、請求項１又は請求項２に記載の電気式湯たんぽ。
【考案の詳細な説明】
【技術分野】
【０００１】
本考案は、電気によって容器内の液体を加温する電気式湯たんぽに関する。
【背景技術】
【０００２】
従来、例えば、特許文献１に開示されるように、蓄熱部の容器の内部の発熱体と、発熱源へ電力を供給する為の電源接続端子と、これと着脱自在の接続プラグと、電源プラグと、を有する電気式湯たんぽが知られている。
【０００３】
このような電気式湯たんぽが知られる以前から湯たんぽは広く知られており、湯を入れる容器としては、金属、プラスチックを整形したものや、ポリ塩化ビニル製の袋状のもが知られている。
【先行技術文献】
【特許文献】
【０００４】
【特許文献１】実開平６−６３０２１号公報
【考案の概要】
【考案が解決しようとする課題】
【０００５】
しかしながら、金属やプラスチックを成型してなる容器で構成される場合では、容器が変形しない構成となっているため、使用者の体にフィットさせるような使用形態は困難なものとなっている。
【０００６】
このため、金属やプラスチックを成型してなる容器を用いた湯たんぽは、布団やベッドの中に挟み込むようにして置かれるものであり、持ち運びがされることは想定されないものであった。
【０００７】
加えて、オフィスでのデスクワーク中、映画・テレビ鑑賞中、移動中、ウォーキングなどの運動中、リハビリ、などの様々なシーンにおいて、体を温めたいというニーズや、患部を保温したいといったニーズが潜在するものと考えられる。
【０００８】
他方、他の課題として、ポリ塩化ビニル製の袋状の容器で構成される湯たんぽでは、可撓性を有する構成であれば、使用者の体にフィットさせることは可能であるが、その表面がいわゆるゴム表面で構成されるため、肌触りが悪く、見た目も陳腐なものであった。
【０００９】
また、ポリ塩化ビニル製の袋状の容器は安価に作られるものであり、お湯を注いで利用するといった簡便性を特徴とするものであって、電気式湯たんぽのように、電気を用いるといったことは到底想定されるものではなかった。
【００１０】
また、お湯を注いで利用する形態では、使用する際に、その都度、湯沸し作業、お湯の入れ替え作業、といった手間がかかることになり、特に、オフィスなどでの利用を想定した場合には、手軽に直ぐに使うことができないなど、利便性に欠けるものであった。
【００１１】
そこで、本考案は以上の課題に鑑み、使用者の体にフィットし、利便性、携帯性に優れた新規な電気式湯たんぽについて提案するものである。
【課題を解決するための手段】
【００１２】
本考案の解決しようとする課題は以上の如くであり、次にこの課題を解決するための手段を説明する。
【００１３】
即ち、請求項１に記載のごとく、
様々なシーンにおいて利用可能な電気式湯たんぽであって、
使用者の体にフィットさせることが可能な可撓性を有する容器と、
前記容器に液体を充填するための液体充填口と、
前記容器の外部に設けられ、外部電源と接続／離脱可能に設けられるコネクタと、
前記容器の内部に設けられ、前記コネクタからの給電により前記液体を加温する熱源部と、
を有する、電気式湯たんぽとする。
【００１４】
また、請求項２に記載のごとく、
前記容器の表面は、ベロア調であることとする。
【００１５】
また、請求項３に記載のごとく、
前記容器に、腰巻用のベルトが設けられることとする。
【考案の効果】
【００１６】
本考案の効果として、以下に示すような効果を奏する。
【００１７】
即ち、請求項１に記載の考案においては、電気により内部の液体を加温する構成であるため、使用の際に、都度、湯沸し作業、お湯の入れ替え作業、といった手間がかかることがなく、特に、オフィスなどでの利用を想定した場合には、手軽に直ぐに使うことができ、利便性に優れた構成が実現できる。
【００１８】
また、請求項２に記載の考案においては、肌触りが悪く、見た目も質感のよい意匠を構成することができる。
【００１９】
また、請求項３に記載の考案においては、予めベルトが備えられた構成としているため、別のものを用意する必要がなく、手軽に使用することができる。
【図面の簡単な説明】
【００２０】
【図１】本発明実施形態にかかる電気式湯たんぽの概要について示す図。
【図２】電気式湯たんぽを使用する際の手順について説明する図。
【図３】容器に液体を充填する様子について示す図。
【図４】液体充填口を栓で塞ぐ様子について示す図。
【図５】ベルト付の電気式湯たんぽの実施形態について示す図。
【考案を実施するための形態】
【００２１】
本考案の実施の形態を図１乃至図４を用いて説明する。図１に示すごとく、電気式湯たんぽ１は、角が丸められた略六角形状の防水性を有する布部材４，４を二枚重ねるとともに、その周縁部分６が接着されることによって、密閉された内部空間８を形成する容器１０を構成している。
【００２２】
布部材４は、本実施形態では、ポリ塩化ビニル製の素材を使用することで、図１において切欠いて示された内部空間８に充填される液体９が外部へと漏出しないように構成されている。
【００２３】
また、本実施形態では、ポリ塩化ビニル製の素材表面に、ベロア調（起毛のある布生地）の表面シート４ａが貼付されることにより、肌触りのよい構成が実現されている。
【００２４】
内部空間８の容量は特に限定されるものではないが、例えば、５００ミリリットル、１リットルなどとすることが考えられる。
【００２５】
内部空間８に充填される液体９は特に限定されるものではないが、一般家庭、オフィスなどでの使用を想定すると、例えば、水道水を利用することが考えられる。また、弱塩化ナトリウム水溶液などであってもよい。
【００２６】
容器１０の外表面には、液体充填口７が設けられており、この液体充填口７を通じて内部空間８への液体９の充填が行えるようになっている。液体９を充填後は、図４に示すように、液体充填口７に栓１１を刺して接着剤１３にて封止する。なお、液体充填口７は、液体９を交換可能とするために、内部空間８に一度充填された液体９を排出可能に構成することとしてもよい。また、液体充填口７を設けずに、弱塩化ナトリウム水溶液などの専用液体が予め充填され、使用者による液体の充填がなされない構成としてもよい。
【００２７】
図１及び図２に示すごとく、容器１０の外表面には、１００Ｖなどの外部電源５０と接続されるコネクタ１２が設けられており、このコネクタ１２に電源コード１４が接続される。
【００２８】
図２に示すごとく、容器１０の内部空間８（図１参照）には、コネクタ１２に接続される熱源部１６が設けられており、コネクタ１２から供給される電力によって熱源部１６が昇温するように構成される。
【００２９】
図２に示すごとく、熱源部１６は、容器１０内に充填される液体９（図１参照）を加温すべく構成される。例えば、一対の電極棒と、サーモスタットを有する構成とし、一対の電極棒の間に電圧を印加して液体９に電流を流して昇温をさせるとともに、所定の温度（例えば、約６０度）に到達した時点でサーモスタットが切れて通電が停止され、加温が停止されるといった構成にて実現できる。
【００３０】
図２に示すごとく、電源コード１４には、例えば、ＬＥＤなどからなる表示灯１４ａを設け、加温中、或いは、加温が完了したことを視認可能にすることが好ましい。
【００３１】
加温が完了した後は、図２に示すごとく、コネクタ１２から電源コード１４を取り外すことにより、いわゆるコードレスの電気式湯たんぽ１を実現することができ、電気式湯たんぽ１の持ち運びが可能となる。
【００３２】
なお、電源コード１４による給電のほか、コネクタ１２に設置する乾電池や充電池などでの給電の形態なども考えられ、この場合、乾電池や充電池からの給電を断続的に行うことで、長時間に渡り液体９の温度を維持する利用形態が可能となる。
【００３３】
また、加温時間としては、特に限定するものではないが、例えば、室温１５〜２０℃の環境下において、約２０〜２５分とすることが好ましい。
【００３４】
また、有効的に使用できる時間については、例えば、携帯して使用する場合において、室温２０℃の環境下において約３〜４時間とすることや、また、布団内で使用する場合において、約６時間とすることが考えられる。また、容器１０の表面の温度としては、例えば、最大約６０℃とすることが考えられる。
【００３５】
次に、電気式湯たんぽ１を使用する際の手順について説明する。
まず、図３に示すごとく、専用のキャップ３０を付けた充填ボトル３１などを用い、容器１０内に液体充填口７から液体９を充填する。
【００３６】
次いで、図４に示すごとく、容器１０を手で押さえるなどして、液体充填口７から容器１０内の空気３４を抜く。その後、液体充填口７に栓１１を刺して接着剤１３にて封止する。
【００３７】
次いで、図２に示すように、電源コード１４をコネクタ１２に接続して加温を開始すると、表示灯１４ａが点灯する。表示灯１４ａが消えたことを確認したら、電源コード１４を外すことで使用に供することができる。
【００３８】
次に、図５を用いてベルト２２を付けた電気式湯たんぽ２０の実施形態について説明する。本実施形態では、例えば、使用者が腰に巻いて使用することを想定し、横幅寸法が広い、約長方形状の容器２４と、容器２４の両端にベルト２２を設けた構成とするものである。
【００３９】
ベルト２２には、一対の接続部材によって構成されるバックル部２８が設けられており、バックル部２８を留めることによって、例えば、使用者の腰に巻いて固定することができ、また、バックル部２８を外すことによって、使用者の腰から取り外せるようになっている。
【００４０】
ベルト２２には、その長さ調整ができるように調整機構２９が設けられており、使用者がウエスト寸法に応じて適宜、ベルト２２の長さを調整することができるようになっている。
【００４１】
また、容器２４に設けられるコネクタ２６や液体充填口２７は、使用者が着用した際に、使用者の背中とは反対側に配置されるように構成される。これにより、コネクタ２６や液体充填口２７が使用者の背中に当たることのない構成が実現できる。
【００４２】
そして、ベルト２２を設けた電気式湯たんぽ２０とすることにより、例えば、腰痛に悩む使用者は、腰に電気式湯たんぽ２０を巻きつけるようにして使用することができ、電気式湯たんぽ２０がずれてしまうことが無く、常に安定して腰を暖めることができる。
【００４３】
また、仮にベルト２２を設けない場合には、腰巻や、帯などの別のものを用意しなければならないが、本実施形態によれば、予めベルト２２が備えられた構成としているため、別のものを用意する必要がなく、手軽に使用することができる。
【００４４】
以上のようにして本考案を実施することができる。
即ち、図１乃至図４に示すごとく、
様々なシーンにおいて利用可能な電気式湯たんぽ１であって、
使用者の体にフィットさせることが可能な可撓性を有する容器１０と、
容器１０に液体９を充填するための液体充填口７と、
容器１０の外部に設けられ、外部電源と接続／離脱可能に設けられるコネクタ１２と、
容器１０の内部に設けられ、コネクタ１２からの給電により液体９を加温する熱源部１６と、を有する、電気式湯たんぽ１とするものである。
【００４５】
これにより、使用者の体にフィットさせることができ、オフィスでのデスクワーク中、映画・テレビ鑑賞中、移動中、ウォーキングなどの運動中、リハビリ、などの様々なシーンにおいて、体を温めたいというニーズや、患部を保温したいといったニーズに対応することができる。
【００４６】
また、電気により内部の液体を加温する構成であるため、使用の際に、その都度、湯沸し作業、お湯の入れ替え作業、といった手間がかかることがなく、特に、オフィスなどでの利用を想定した場合には、手軽に直ぐに使うことができ、利便性に優れた構成が実現できる。
【００４７】
また、容器１０の表面は、ベロア調である、こととする。
【００４８】
これにより、肌触りが悪く、見た目も質感のよい意匠を構成することができる。
【００４９】
前記容器に、腰巻用のベルトが設けられる、こととする。
【００５０】
これにより、予めベルトが備えられた構成としているため、別のものを用意する必要がなく、手軽に使用することができる。
【産業上の利用可能性】
【００５１】
本考案の電気式湯たんぽは、持ち運んで懐炉のように用いることや、布団内に設定して従来の湯たんぽのように使用することが可能となる。
【符号の説明】
【００５２】
１    容器
４    布部材
４ａ    表面シート
７    液体充填口
１０    容器
１２    コネクタ
１６    熱源部
２２    ベルト
２４    容器
５０    外部電源
【図１】
0003180431.tif 000003
【図２】
0003180431.tif 000004
【図３】
0003180431.tif 000005
【図４】
0003180431.tif 000006
【図５】
0003180431.tif 000007